(57)【要約】  １以上の外部装置から、前記外部装置によって再生されるか、あるいは映像送信装置及び映像受信装置を介して、リアルタイムに放送された映像の各区間別呼応度に係わる情報を受信する通信部と、映像の各区間別呼応度に基づいて、映像の少なくとも１以上の区間を、映像に係わる人気区間と決定する制御部と、を含む映像人気区間の検索装置である。
2019528524.tif 000002
【特許請求の範囲】
【請求項１】
１以上の外部装置から、前記外部装置によって再生されるか、あるいは映像送信装置及び映像受信装置を介して、リアルタイムに放送された映像の各区間別呼応度に係わる情報を受信する通信部と、
前記映像の各区間別呼応度に基づいて、前記映像の少なくとも１以上の区間を、前記映像に係わる人気区間と決定する制御部と、を含む映像人気区間の検索装置。
【請求項２】
前記呼応度に係わる情報は、
前記映像の各区間についての、前記外部装置で再生された時間である区間別再生時間、前記各区間の長さに係わる情報、前記各区間の再生速度、及び前記各区間の再生部分に係わる情報のうち少なくとも一つを含むことを特徴とする請求項１に記載の映像人気区間の検索装置。
【請求項３】
前記制御部は、
前記少なくとも１以上である区間のうちいずれか１つの区間である判断対象区間の全部または一部が再生された場合、前記判断対象区間の再生回数を増加させることを特徴とする請求項２に記載の映像人気区間の検索装置。
【請求項４】
前記制御部は、
前記少なくとも１以上の区間のうち、前記再生回数が所定回数以上である１以上の区間を、前記人気区間と決定することを特徴とする請求項３に記載の映像人気区間の検索装置。
【請求項５】
複数の外部装置から、第１映像の各区間別呼応度に係わる情報を受信した場合、
前記制御部は、
前記複数の外部装置から受信された前記第１映像の区間別再生時間に基づいて、前記第１映像の区間別再生回数を累積して算出し、前記累積された再生回数が所定回数以上である１以上の区間を、前記第１映像の人気区間と決定することを特徴とする請求項４に記載の映像人気区間の検索装置。
【請求項６】
前記通信部は、
前記外部装置から、前記映像と係わるデータを含むクローリングデータを、既設定の時間間隔で受信することを特徴とする請求項１に記載の映像人気区間の検索装置。
【請求項７】
前記制御部は、
前記クローリングデータが受信された時点、及び前記クローリングデータの大きさを考慮し、前記人気区間を決定することを特徴とする請求項６に記載の映像人気区間の検索装置。
【請求項８】
前記制御部は、
前記クローリングデータの大きさが所定サイズ以上である時点より、遅延時間ぶん先立つ時点を含む区間を、前記人気区間と決定することを特徴とする請求項７に記載の映像人気区間の検索装置。
【請求項９】
前記通信部を介して、前記外部装置から受信された１以上のコンテンツを含むクローリングデータを受信した場合、
前記制御部は、
前記受信されたコンテンツから、前記映像に係わるデータである映像関連データを抽出し、
前記映像関連データが所定サイズ以上である時点と対応する少なくとも１以上の区間を、前記人気区間と決定することを特徴とする請求項７に記載の映像人気区間の検索装置。
【請求項１０】
前記通信部を介して、前記外部装置から受信された１以上のコンテンツのうち、前記映像と係わるコンテンツのみを含むクローリングデータを受信した場合、
前記制御部は、
前記クローリングデータから、映像関連データを抽出せず、前記映像関連データが所定サイズ以上である時点と対応する少なくとも１以上の区間を、前記人気区間と決定することを特徴とする請求項７に記載の映像人気区間の検索装置。
【請求項１１】
前記外部装置は、複数であり、
前記呼応度に係わる情報は、
前記複数の外部装置それぞれの前記映像に係わる１以上のクローリングデータを含み、
前記制御部は、
前記複数の外部装置それぞれから受信した前記クローリングデータに基づいて、人気区間を決定することを特徴とする請求項７に記載の映像人気区間の検索装置。
【請求項１２】
１以上のユーザそれぞれに係わる第１映像の各区間別呼応度に係わる情報を受信した場合、
前記制御部は、
前記第１映像の各区間別呼応度に係わる情報を分析し、前記分析した結果を利用し、前記第１映像の少なくとも１以上の区間をユーザ別人気区間と決定し、
前記人気区間が所定数以上重畳するユーザを同一グループに分類することを特徴とする請求項１に記載の映像人気区間の検索装置。
【請求項１３】
前記制御部は、
同一グループに属する他ユーザの第２映像の人気区間を参照し、前記第２映像に係わる推奨区間に係わる情報を生成することを特徴とする請求項１２に記載の映像人気区間の検索装置。
【請求項１４】
前記映像の各区間の呼応度に係わる情報は、
前記映像が、既設定区間数ぶん再生または視聴されるたびに受信されることを特徴とする請求項１に記載の映像人気区間の検索装置。
【請求項１５】
前記制御部は、
前記決定された少なくとも１以上の人気区間をユーザ端末に提供することを特徴とする請求項１に記載の映像人気区間の検索装置。
【発明の詳細な説明】
【技術分野】
【０００１】
本発明は、映像人気区間の検索装置に関する。
【背景技術】
【０００２】
今日、情報通信技術の飛躍的な発展により、コンテンツの伝送、共有、及び二次コンテンツの生成のような多様な活動がなされている。特に、記録媒体、通信技術及び映像技術などの発達により、動画の共有が活発になされている。
【０００３】
しかし、共有される動画の数が幾何級数的に増加し、それぞれの動画の長さも長く、ユーザは、共有される全ての動画を確認することができないばかりではなく、動画の主要場面も、確認することができないという問題点がある。
【０００４】
そのような問題点を補完するために、熟練された専門家が、動画を個別的に確認しながら、主要場面を選別する方案がありうるが、そのような方案は、幾何級数的に増加する共有動画の数に比べ、人力の数がとても不足しているという問題点があるだけではなく、専門家の主観的判断に依存し、客観的な主要場面の選別が困難であるという問題点があった。
【発明の概要】
【発明が解決しようとする課題】
【０００５】
本発明の実施形態は、前述の問題点を解決するためのものであり、映像の各区間別呼応度に係わる情報を受信し、それを基に、映像の人気区間を決定する装置を提供するものである。
【課題を解決するための手段】
【０００６】
本発明の一実施形態による人気区間検索装置は、１以上の外部装置から、前記外部装置によって再生されるか、あるいは映像送信装置及び映像受信装置を介して、リアルタイムに放送された映像の各区間別呼応度に係わる情報を受信する通信部と、前記映像の各区間別呼応度に基づいて、前記映像の少なくとも１以上の区間を、前記映像に係わる人気区間と決定する制御部と、を含んでもよい。
【０００７】
前述のところ以外の他の側面、特徴、利点は、以下の図面、特許請求の範囲、及び発明の詳細な説明から明確になるであろう。
【発明の効果】
【０００８】
本発明の実施形態は、映像の各区間別呼応度に係わる情報を受信し、それを基に、映像の人気区間を決定することができる。
【０００９】
また、本発明の実施形態は、既保存映像だけではなく、リアルタイム映像に係わる各区間別呼応度に係わる情報を受信し、それを基に、映像の人気区間を決定することができる。
【００１０】
また、本発明の実施形態は、複数のユーザに係わる呼応度に係わる情報を受信し、それを基に、映像の人気区間を決定することにより、客観的に映像の人気区間を決定することができる。
【００１１】
さらに、本発明の実施形態は、複数のユーザを、各ユーザが好む区間によってグループ分けし、同一グループに属する他のユーザの好み区間により、推奨区間を決定することができる。
【図面の簡単な説明】
【００１２】
【図１】本発明の第１実施形態により、既保存映像の人気区間を検索するためのシステムについて説明するための図面である。
【図２】本発明の第１実施形態による映像人気区間の検索装置の構成を概略的に図示する図面である。
【図３】本発明の第１実施形態による制御部が再生回数を算出する方法を概略的に図示する図面である。
【図４】本発明の第１実施形態による制御部が人気区間を決定する方法について説明するための図面である。
【図５】本発明の第１実施形態による制御部が、複数のユーザを分類し、推奨区間に係わる情報を提供する方法について説明するための図面である。
【図６】本発明の第１実施形態による人気区間検索装置の情報処理方法のフローチャートである。
【図７】本発明の第１実施形態による人気区間検索装置の情報処理方法のフローチャートである。
【図８】本発明の第２実施形態により、映像送信装置から、１以上の映像受信装置にリアルタイムで伝送される映像の人気区間を検索するためのシステムについて説明するための図面である。
【図９】本発明の第２実施形態による制御部が人気区間を決定する方法について説明するための図面である。
【図１０】本発明の第２実施形態による人気区間検索装置の情報処理方法のフローチャートである。
【図１１Ａ】本発明の第２実施形態による人気区間検索装置の情報処理方法のフローチャートである。
【図１１Ｂ】本発明の第２実施形態による人気区間検索装置の情報処理方法のフローチャートである。
【図１２】本発明の第２実施形態による人気区間検索装置の情報処理方法のフローチャートである。
【発明を実施するための形態】
【００１３】
本発明は多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態にも具現される。
【００１４】
以下、添付された図面を参照し、本発明の実施形態について詳細に説明するが、図面を参照して説明するとき、同一であるか、あるいは対応する構成要素は、同一図面符号を付し、それに係わる重複説明は、省略する。
【００１５】
以下の実施形態において、第１、第２のような用語は、限定的な意味ではなく、１つの構成要素を、他の構成要素と区別する目的に使用された。以下の実施形態において、単数の表現は、文脈上明白に異なって意味しない限り、複数の表現を含む。以下の実施形態において、「含む」または「有する」というような用語は、明細書上に記載された特徴または構成要素が存在するということを意味するものであり、１以上の他の特徴または構成要素が付加される可能性をあらかじめ排除するものではない。図面においては、説明の便宜のために、構成要素がその大きさが誇張されていたり縮小されていたりする。例えば、図面に示された各構成の大きさ及び形態は、説明の便宜のために任意に示されており、本発明は、必ずしも図示されたところに限定されるものではない。
【００１６】
＜第１実施形態＞
図１ないし図７は、本発明の第１実施形態により、既保存映像の人気区間を検索するためのシステムについて説明するための図面である。
【００１７】
まず、図１を参照すれば、本発明の一実施形態によるシステムは、サーバ１００、外部装置２００、及びそれらを連結する通信網３００を含んでもよい。
【００１８】
本実施形態において、人気区間を検索するためのシステムは、外部装置２００から、映像の各区間別呼応度に係わる情報を受信し、当該映像の人気区間を決定することができる。このとき、該呼応度に係わる情報は、外部装置２００において、当該映像に係わるユーザの操作によって決定される。それに係わる詳細な説明は、後述する。
【００１９】
本実施形態において、外部装置２００は、映像を鑑賞することができ、有無線通信環境で通信網に連結することができる端末機でもある。たとえば、外部装置２００は、パーソナルコンピュータ２０１でもあり、または携帯用端末２０２でもある。一方、図１においては、携帯用端末２０２がスマートフォンとして図示されているが、本発明の思想は、それに制限されるものではなく、前述のように映像を鑑賞することができ、通信網に連結される端末であるならば、非制限的に使用される。
【００２０】
外部装置２００は、映像を表示する表示手段、映像の再生、早送り及び巻き戻しのようなユーザの操作を獲得するための入力手段、及び通信網に連結することができる映像手段と具備することができる。このとき、該入力手段は、例えば、キーボード、マウス、トラックボール、マイク、ボタン、タッチパネルなどを含んでもよいが、それらに限定されるものではない。
【００２１】
本実施形態において、通信網３００は、サーバ１００及び外部装置２００を連結する役割を行う。例えば、通信網３００は、外部装置２００がサーバ１００に接続した後、パケットデータを送受信することができるように、接続経路を提供する。通信網３００は、例えば、ＬＡＮｓ（local  area  networks）、ＷＡＮｓ（wide  area  networks）、ＭＡＮｓ（metropolitan  area  networks）、ＩＳＤＮｓ（integrated  service  digital  networks）のような有線ネットワークや、無線ＬＡＮｓ、ＣＤＭＡ（code  division  multiple  access）、ブルートゥース（登録商標（Bluetooth））、衛星通信のような無線ネットワークを網羅することができるが、本発明の範囲が、それらに限定されるものではない。
【００２２】
本実施形態において、サーバ１００は、外部装置２００から映像の呼応度に係わる情報を受信し、受信された情報を基に、映像の人気区間を決定することができる。そのために、サーバ１００は、本実施形態による映像人気区間の検索装置を含んでもよい。
【００２３】
図２は、本実施形態による映像人気区間の検索装置１１０の構成を概略的に図示する。
【００２４】
図２を参照すれば、本実施形態による映像人気区間の検索装置１１０は、通信部１１１、制御部１１２及びメモリ１１３を含んでもよい。また、図面には図示されていないが、本実施形態による映像人気区間の検索装置１１０は、入／出力部、プログラム保存部などをさらに含んでもよい。
【００２５】
通信部１１１は、外部装置２００のような他のネットワーク装置と、有無線連結を介して、制御信号またはデータ信号のような信号を送受信するために必要なハードウェア及びソフトウェアを含む装置でもある。
【００２６】
制御部１１２は、プロセッサのように、データを処理することができる全種の装置を含んでもよい。ここで、「プロセッサ」は、例えば、プログラム内に含まれたコードまたは命令によって表現された機能を遂行するために、物理的に構造化された回路を有する、ハードウェアに内蔵されたデータ処理装置を意味する。そのように、ハードウェアに内蔵されたデータ処理装置の一例として、マイクロプロセッサ、中央処理装置（ＣＰＵ：central  processing  unit）、プロセッサコア、マルチプロセッサ、ＡＳＩＣ（application-specific  integrated  circuit）、ＦＰＧＡ（field  programmable  gate  array）のような処理装置を網羅することができるが、本発明の範囲は、それらに限定されるものではない。
【００２７】
メモリ１１３は、映像人気区間の検索装置１１０が処理するデータを、一時的または永久に保存する機能を遂行する。該メモリは、磁気記録媒体（magnetic  storage  media）またはフラッシュ記録媒体（flash  storage  media）を含んでもよいが、本発明の範囲は、それらに限定されるものではない。
【００２８】
一方、本実施形態において、「映像」は、前述の外部装置２００、または外部装置２００と連結された付加装置（図示せず）に既保存の映像でもある。例えば、該映像は、ファイルの形態で、外部装置２００に保存された映像でもある。また、該「映像」は、サーバ１００に保存され、サーバ１００が、外部装置２００、またはそれ以外の装置にストリーミングする映像でもある。
【００２９】
そのように、本実施形態において、該「映像」は、その保存位置を問わず、当該映像の生成時点と再生時点との差が存在する映像、すなわち、リアルタイムで撮影されて中継される映像ではない映像を意味するので、既獲得の保存された映像は、本実施形態の「映像」に該当する。
【００３０】
本実施形態による通信部１１１は、外部装置から、映像の各区間別呼応度に係わる情報を受信することができる。
【００３１】
本発明において、「映像の各区間別呼応度に係わる情報」は、映像の鑑賞者が、映像の当該区間にどれだけ多くの関心を有するかということに係わる情報を含んでもよい。例えば、本実施形態において、映像の各区間別呼応度に係わる情報は、映像の各区間が、外部装置２００で再生された時間の区間別再生時間を含んでもよい。一例として、区間の長さが、３０秒である区間に対して、外部装置２００でユーザが区間の一部分である２０秒だけ再生した後、映像の再生を終了したならば、当該区間の呼応度に係わる情報には、当該区間の再生時間である「２０秒」が含まれている。ここで、そのような場合、通信部１１１は、外部装置２００から、当該区間の再生時間の２０秒を受信することができるということは言うまでもない。また、呼応度に係わる情報は、各区間の長さに係わる情報、各区間の再生速度、及び各区間の再生部分に係わる情報をさらに含んでもよい。例えば、前述の例示でのように、ある区間の再生時間が「２０秒」である場合、呼応度に係わる情報には、「１秒〜１０秒（１．５倍速）、２０秒〜３０秒（０．８倍速）」のように、再生部分に係わる情報、及び再生部分の再生速度に係わる情報が含まれてもよい。
【００３２】
一方、本発明において、該映像の「区間」は、ある映像の一部分を意味する。例えば、該区間は、全体長が３００秒である映像の１０秒から２０秒に該当する部分映像を意味する。
【００３３】
本発明において、ある映像は、複数の区間を含んでもよく、このとき、該区間の長さは、多様にも設定される。例えば、ある映像の全体長が３００秒であり、区間の長さは、１０秒でもある。言い換えれば、前述の３００秒の映像は、長さが１０秒である３０個の区間を含んでもよい。ここで、該映像は、３０秒である１０個の区間を含み、３００秒である１個の区間を含んでもよいということは言うまでもない。
【００３４】
一方、通信部１１１は、外部装置２００において、映像が、既設定区間数ぶん再生されるたびに、外部装置２００から映像の各区間の呼応度に係わる情報を受信することができる。例えば、通信部１１１は、毎区間が再生されるたびに、当該区間の呼応度に係わる情報を受信することもでき、２つの区間が再生されるたびに、２つの区間の呼応度に係わる情報を受信することもでき、映像の再生が終わったとき、映像全体に含まれた全ての区間の呼応度に係わる情報を受信することもできる。
【００３５】
本実施形態による制御部１１２は、通信部１１１が受信した区間別再生時間に基づいて、各区間の再生回数を更新することができる。さらに詳細には、制御部１１２は、映像を構成する複数の区間のうちいずれか１つの区間を判断対象区間で設定し、該判断対象区間の長さに対する判断対象区間の再生時間の比率を算出することができる。例えば、ある区間の長さが１０秒であり、当該区間の再生時間が７秒である場合、制御部１１２は、区間の長さに対する判断対象区間の再生時間の比率を、０．７と算出することができる。
【００３６】
その後、制御部１１２は、算出された比率が、所定比率以上である場合、当該判断対象区間の再生回数を増加させることができる。仮に、前述の例示のように、判断対象区間の長さが１０秒であり、当該区間の再生時間が７秒であり、算出された比率が０．７であり、所定比率が０．５と仮定すれば、制御部１１２は、当該判断対象区間の再生回数を１増加させることができる。
【００３７】
さらには、制御部１１２は、算出された比率により、再生回数の増加率に、加重値を付与することもできる。例えば、制御部１１２は、算出された比率が０．７以上である場合、再生回数を３増加させ、算出された比率が０．５以上０．７未満である場合、再生回数を２増加させ、算出された比率が０．３以上０．５未満である場合、再生回数を１増加させ、算出された比率が０．３未満である場合、再生回数を−１増加させる（１減少させる）ことができる。
【００３８】
また、制御部１１２は、映像において、当該区間の位置により、所定比率を異なって適用することができる。例えば、制御部１１２は、映像の前部分については、所定比率を相対的に高く設定し、映像の後部分については、所定比率を相対的に低く設定することができる。それにより、制御部１１２は、映像の鑑賞者が、映像の前部分をさらに詳細に見る傾向を反映させ、再生回数を決定することができる。
【００３９】
図３は、本実施形態による制御部１１２が、再生回数を算出する方法を概略的に図示する。
【００４０】
図３を参照し、映像５００が７個の区間５１１ないし５１７を含み、通信部１１１が７個の区間５１１ないし５１７に係わる再生時間５２１ないし５２４を受信したと仮定する。また、所定比率が０．７であると仮定する。
【００４１】
そのような場合、制御部１１２は、最初区間５１１に対し、区間５１１の長さに対する判断対象区間の再生時間５２１の比率である０．７５を算出し、算出された比率が、所定比率である０．７を超えるので、当該区間５１１の再生回数を１増加させることができる。それと類似して、制御部１１２は、２番目区間５１２に対し、区間５１２の長さに対する判断対象区間の再生時間（５２２の一部）の比率である１．００を算出し、当該区間５１２の再生回数を１増加させることができる。
【００４２】
一方制御部１１２は、４番目区間５１４に対し、区間５１４の長さに対する判断対象区間の再生時間（５２３の一部）の比率である０．１５を算出し、算出された比率が、所定比率である０．７未満であるので、当該区間５１４の再生回数をそのまま維持することができる。
【００４３】
制御部１１２は、前述の判断対象区間の再生時間、区間の長さに対する判断対象区間の再生時間の比率、及び再生回数のうち少なくとも一つを含むデータベース５３０を生成し、メモリ１１３に保存することができる。
【００４４】
例えば、制御部１１２は、各区間別再生回数を含むデータベース５３０を生成し、メモリ１１３に保存することができる。そのような場合、データベース５３０は、図示されているように、映像別に、各区間のＩＤ（identification）と当該区間の再生回数とを含んでもよい。ただし、それは、例示的なものであり、データベース５３０は、当該区間の長さ、当該区間の再生時間、及び算出された比率などをさらに含んでもよい。
【００４５】
本実施形態による制御部１１２は、前述のデータベースを参照し、映像に含まれた１以上の区間のうち再生回数が所定回数以上である区間を人気区間と決定することができる。例えば、ある区間の再生回数が３０回であり、人気区間の判別のための所定回数が２０回である場合、制御部１１２は、当該区間を人気区間と決定することができる。ここで、同一前提下、ある区間の再生回数が３回である場合、制御部１１２は、当該区間を人気区間と決定しないということは言うまでもない。
【００４６】
図４は、本実施形態による制御部１１２が、人気区間を決定する方法について説明するための図面である。
【００４７】
図４を参照し、外部装置２００において、７個の区間５１１ないし５１７を含む映像が再生され、データベース６１０に、各区間の再生回数が、図４のように保存されていると仮定する。また、人気区間の判別のための所定回数が、前述の例示のように、２０回であると仮定する。
【００４８】
そのような場合、制御部１１２は、再生回数が２０回以上である区間５１１、区間５１５及び区間５１６を人気区間と決定することができる。
【００４９】
一方、通信部１１１は、複数の外部装置から、同一映像に係わる区間別再生時間を受信し、制御部１１２は、受信された再生時間に基づいて、各区間の再生回数を算出することもできる。
【００５０】
言い換えれば、制御部１１２は、複数の外部装置それぞれでの同一映像の区間別再生時間に基づいて、再生回数を累積して増加させることができる。さらには、制御部１１２は、累積された再生回数が所定回数以上である区間を、人気区間と決定することができる。このとき、制御部１１２が、各区間の再生時間に基づいて、当該区間の再生回数を算出し、算出された累積回数による人気区間決定は、前述のところと同一であるので、詳細な説明は、省略する。
【００５１】
そのような場合、決定された人気区間は、複数の外部装置から受信された再生時間に基づいたものであるので、多数のユーザの再生パターンを反映させたものでもある。
【００５２】
本実施形態による通信部１１１は、１以上のユーザに係わる第１映像の各区間別呼応度に係わる情報を受信することができる。例えば、通信部１１１は、複数の外部装置から、１以上のユーザに係わる第１映像の各区間別呼応度に係わる情報を受信することもできる。また、通信部１１１は、１つの外部装置から、１以上のユーザに係わる第１映像の各区間別呼応度に係わる情報を受信することもできる。例えば、１以上のユーザは、１つの外部装置を、時間帯を異ならせて共同で使用するものでもある。また、１つの外部装置が、複数のユーザの要請に対応して映像を提供するものでもある。
【００５３】
制御部１１２は、１以上のユーザ別に、第１映像の少なくとも１以上である区間を人気区間と決定し、該人気区間が、所定数以上重畳するユーザを、同一グループに分類することができる。このとき、制御部１１２が、ユーザ別に第１映像の少なくとも１以上である区間を人気区間と決定することは、複数のユーザに対して遂行するという点を除き、前述のところと同一であるので、詳細な説明は、省略する。
【００５４】
図５は、本実施形態による制御部１１２が、複数のユーザを分類し、推奨区間に係わる情報を提供する方法について説明するための図面である。
【００５５】
図５を参照し、第１映像に係わるデータベース６２０に、３名のユーザ（ユーザＡ、ユーザＢ、ユーザＣ）の各区間別再生回数が含まれており、第２映像に係わるデータベース６３０に、３名のユーザ（ユーザＡ、ユーザＢ、ユーザＣ）の各区間別再生回数が含まれていると仮定する。また、３名のユーザ（ユーザＡ、ユーザＢ、ユーザＣ）が、第１映像は、いずれも鑑賞したが、第２映像は、ユーザＡ及びユーザＣだけが鑑賞し、人気区間と決定される基準になる再生回数である所定回数が１であり、同一グループにユーザを分類するために再生回数が一致しなければならない区間の数が４であると仮定する。
【００５６】
そのような場合、制御部１１２は、同一グループに属する他のユーザの１以上の映像に係わる人気区間を参照し、推奨区間に係わる情報を生成することができる。例えば、制御部１１２は、再生回数が一致する区間の数が既定の所定数以上である２人以上のユーザを、同一グループに分類することができる。図５の場合、制御部１１２は、第１データベース６２０に含まれたユーザＡの各区間別再生回数６２１、及びユーザＢの各区間別再生回数６２２が、区間５１５を除いた残り区間で一致するので、ユーザＡ及びユーザＢを同一グループに分類することができる。ここで、同一グループにユーザを分類するために、再生回数が一致しなければならない区間の数設定により、ユーザＡ、ユーザＢ及びユーザＣがいずれも同一グループに分類されもし（一致しなければならない区間の数が１である場合）、３名のユーザそれぞれが互いに異なるグループに分類されもする（一致しなければならない区間の数が７である場合）。
【００５７】
選択的実施形態として、制御部１１２は、１以上の基準回数を設定し、各ユーザの区間別再生回数を１以上の等級に変換し、等級が重畳する区間数により、ユーザを同一グループに分類することもできる。例えば、制御部１１２が、再生回数が０〜１０回である場合、３等級、１１〜２０回である場合、２等級、２１回以上である場合、１等級に変換し、等級が同一である区間の数により、ユーザを同一グループに分類することもできる。それにより、本発明は、各区間の再生パターンを把握することにより、柔軟にユーザグループを生成することができる。
【００５８】
その後、制御部１１２は、ユーザＢが鑑賞していない第２映像に係わる推奨区間に係わる情報を生成するとき、ユーザＢと同一グループに属するユーザＡの第２映像に係わる人気区間を参照することができる。すなわち、制御部１１２は、ユーザＡの第２映像に係わる人気区間である区間６１３ないし区間６１７を推奨区間にする、推奨区間に係わる情報を生成することができる。生成された情報は、ユーザＢに提供される。
【００５９】
それにより、本発明は、ユーザの趣向にさらに合う推奨映像を提供することができ、それにより、ユーザの映像視聴を誘導することができる。
【００６０】
制御部１１２は、決定された少なくとも１つの人気区間をユーザ端末（図示せず）に提供することができる。このとき、該人気区間を提供することは、当該区間の映像そのものを提供するだけではなく、当該映像の識別情報を提供することも意味する。
【００６１】
図６及び図７は、映像人気区間の検索装置１１０の情報処理方法のフローチャートである。該映像人気区間の検索装置１１０に含まれる通信部１１１及び制御部１１２に係わる詳細な説明はすでに行っているので、重複説明は、省略する。
【００６２】
本実施形態による映像人気区間の検索装置１１０は、映像の各区間別再生時間を含む呼応度に係わる情報受信することができる（Ｓ３１）。本発明において、「映像の各区間別呼応度に係わる情報」は、映像の鑑賞者が、映像の当該区間にどれだけ多くの関心を有するかということに係わる情報を含んでもよい。例えば、本実施形態において、映像の各区間別呼応度に係わる情報は、映像の各区間が、外部装置２００で再生された時間の区間別再生時間を含んでもよい。
【００６３】
本実施形態による映像人気区間の検索装置１１０は、映像の各区間別呼応度に基づいて、映像の人気区間を決定することができる（Ｓ３２）。
【００６４】
さらに詳細には、映像人気区間の検索装置１１０は、映像を構成する複数の区間のうちいずれか１つの区間を判断対象区間として設定し（Ｓ３２１）、判断対象区間の長さに対する判断対象区間の再生時間の比率を算出する（Ｓ３２２）。例えば、ある区間の長さが１０秒であり、当該区間の再生時間が７秒である場合、映像人気区間の検索装置１１０は、区間の長さに対する判断対象区間の再生時間の比率を０．７と算出することができる。
【００６５】
その後、映像人気区間の検索装置１１０は、算出された比率が所定比率以上であるか否かということを確認し（Ｓ３２３）、所定比率以上である場合、判断対象区間の再生回数を増加させる（Ｓ３２４）。例えば、前述の例示のように、判断対象区間の長さが１０秒であり、当該区間の再生時間が７秒であり、算出された比率が０．７であり、所定比率が０．５であると仮定すれば、映像人気区間の検索装置１１０は、当該判断対象区間の再生回数を１増加させることができる。このとき、映像人気区間の検索装置１１０は、算出された比率により、再生回数の増加率に、加重値を付与することもできる。例えば、映像人気区間の検索装置１１０は、算出された比率が、０．７以上である場合、再生回数を３増加させ、算出された比率が、０．５以上０．７未満である場合、再生回数を２増加させ、算出された比率が、０．３以上０．５未満である場合、再生回数を１増加させ、算出された比率が０．３未満である場合、再生回数を−１増加させる（１減少させる）ことができる。このとき、映像人気区間の検索装置１１０は、前述の判断対象区間の再生時間、区間の長さに対する判断対象区間の再生時間の比率、及び再生回数のうち少なくとも一つを含むデータベースを、メモリ１１３に生成して保存することができる。
【００６６】
映像人気区間の検索装置１１０は、判断対象区間の再生回数が所定回数以上であるか否かということを判断し（Ｓ３２５）、再生回数が、所定回数以上である判断対象区間を人気区間と決定する（Ｓ３２６）。例えば、ある区間の再生回数が３０回であり、所定回数が２０回である場合、映像人気区間の検索装置１１０は、当該判断対象区間を人気区間と決定することができる。
【００６７】
その後、映像人気区間の検索装置１１０は、映像の全区間に対し、再生回数及び人気区間に該当するか否かということを判断した否かということを確認し（Ｓ３２７）、全ての区間に対して判断が遂行されていない場合、前述のＳ３２１ないしＳ３２７を反復して遂行することができる。
【００６８】
＜第２実施形態＞
図８ないし図１２は、本発明の第２実施形態により、映像送信装置から、１以上の映像受信装置に、リアルタイムで伝送される映像の人気区間を検索するためのシステムについて説明するための図面である。図１ないし図７で説明する第１実施形態は、既保存映像の人気区間を検索するためのものであり、第２実施形態は、リアルタイムで伝送される映像の人気区間を検索するためのものであり、両実施形態は、対象になる映像に違いがある。
【００６９】
まず、図８を参照すれば、本発明の一実施形態によるシステムは、サーバ１００、外部装置２００、映像送信装置４１０、映像受信装置４２０、及びそれらを連結する通信網３００を含んでもよい。
【００７０】
本実施形態において、映像送信装置４１０は、映像をリアルタイムで送出する装置でもある。例えば、映像送信装置４１０は、放送局に具備される映像送出装備でもある。また、映像送信装置４１０は、インターネット網を介して、映像を送出するコンピュータ（図示せず）及び／またはユーザ端末（図示せず）でもある。
【００７１】
一方、映像受信装置４２０は、映像をリアルタイムで受信して表示する装置でもある。例えば、映像送信装置４１０が、電波形態で映像を伝送する場合、映像受信装置４２０は、映像を受信するためのアンテナと、映像を表示するためのディスプレイ手段とを具備した装置でもある。また、映像送信装置４１０が、インターネット網を介して映像を送出する場合、映像受信装置４２０は、インターネット網から、映像信号を受信する受信部と、映像を表示するディスプレイ手段とを具備した装置でもある。そのように、映像送信装置４１０及び映像受信装置４２０は、リアルタイムで映像を送信して受信する多様な装置を意味する。
【００７２】
従って、本実施形態において、「映像」は、映像送信装置４１０において、１以上の映像受信装置４２０にリアルタイムで伝送される映像であり、前述の第１実施形態と異なり、映像の視聴者が、映像の再生、早送り及び巻き戻しのような操作が不可能な映像でもある。
【００７３】
一方、本実施形態において、外部装置２００は、ユーザがコンテンツをアップロードしたり、アップロードされたコンテンツを共有するサーバでもある。例えば、外部装置２００は、ユーザが自分の文章、写真及び動画などをアップロードするＳＮＳ（social  network  service）サーバでもある。また、外部装置２００は、ユーザ間の対話がなされるようにするチャットサーバでもあり、外部装置２００は、映像のリアルタイム評価のためのリアルタイム評価プラットホームを提供するサーバでもある。一方、そのような外部装置２００は、複数でもあり、単数でもある。
【００７４】
本実施形態において、通信網３００は、第１実施形態で説明した通りであるので詳細な説明は、省略する。ただし、映像送信装置４１０及び映像受信装置４２０の映像送受信方式により、サーバ１００及び外部装置２００がデータを送受信するための通信網と、映像送信装置４１０及び映像受信装置４２０が映像を送受信するための通信網は、同一であってもよく、異なっていてもよい。
【００７５】
本実施形態において、サーバ１００は、外部装置２００から映像の呼応度に係わる情報を受信し、受信された情報を基に、映像の人気区間を決定することができる。そのために、サーバ１００は、本実施形態による映像人気区間の検索装置を含んでもよい。
【００７６】
本実施形態による映像人気区間の検索装置１１０は、通信部１１１、制御部１１２及びメモリ１１３を含んでもよい。映像人気区間の検索装置１１０の各構成に係わる詳細な説明は、第１実施形態で説明したので、省略する。
【００７７】
本実施形態による通信部１１１は、外部装置から、映像の各区間別呼応度に係わる情報を受信することができる。
【００７８】
前述のように、本発明において、「映像の各区間別呼応度に係わる情報」は、映像の鑑賞者が、映像の当該区間に、どれだけ多くの関心を有するかということに係わる情報を含んでもよい。
【００７９】
例えば、本実施形態において、映像の各区間別呼応度に係わる情報は、外部装置２００映像に対してクローリング（crawling）したデータであるクローリングデータを含んでもよい。
【００８０】
本発明においてクローリングは、外部装置２００に保存されているコンテンツのうち、映像と係わるコンテンツを収集することを意味する。例えば、通信部１１１は、外部装置２００に保存されているコンテンツのうち「Ｄドラマ」と係わるコンテンツを収集することができる。
【００８１】
通信部１１１は、１以上の時点において、外部装置２００からクローリングデータを受信することができる。このとき、１以上の時点は、映像送信装置４１０による映像送信、及び映像受信装置４２０による映像受信がなされる時区間範囲に属する。例えば、「Ｄドラマ」が、映像送信装置４１０により、午後１０：００から午後１１：００まで送信される場合、１以上の時点は、午後１０：００から午後１１：００の間に属する。また、１以上の時点間の間隔は、映像人気区間の検索装置１１０の目標性能により、異なって設定されてもよい。
【００８２】
本実施形態による制御部１１２は、通信部１１１が受信したクローリングデータの大きさが、所定サイズ以上である時点と対応する区間を人気区間と決定することができる。
【００８３】
本発明において、「クローリングデータの大きさ」は、通信部１１１が受信したクローリングデータのファイルサイズを意味する。例えば、外部装置２００が、テキスト基盤のコンテンツがアップロードされるサーバである場合、クローリングデータファイルの大きさは、外部装置２００のユーザがアップロードしたテキストコンテンツの数量及び長さを意味する。さらに詳細には、外部装置２００のユーザは、現在リアルタイムに放送されている映像に関心が高いほど、外部装置２００にさらに多くのコンテンツをアップロードすることができるので、制御部１１２は、クローリングデータファイルの大きさから、人気区間を検索することができる。
【００８４】
一方、「クローリングデータの大きさ」は、通信部１１１が受信したクローリングデータの数量も意味する。例えば、外部装置２００が、動画及びイメージを含むコンテンツがアップロードされるサーバである場合、前述の容量に基づいた人気区間の検索は、若干不正確でもある。それにより、制御部１１２は、アップロードされたコンテンツの数に基づいて、人気区間を検索することができる。
【００８５】
ここで、「クローリングデータの大きさ」は、クローリングデータに含まれたリアルタイムに放送されている映像と関連するキーワードの数も意味するということは言うまでもない。例えば、「Ｄドラマ」がリアルタイムに放送されている場合、制御部１１２は、クローリングデータに含まれた「Ｄドラマ」の主演俳優名、「Ｄドラマ」名、「Ｄドラマ」撮影場所及び「Ｄドラマ」キャラクタ名の数をクローリングデータの大きさと決定することができる。
【００８６】
一方、「クローリングデータの大きさが所定サイズ以上である時点と対応する区間」は、クローリングデータの大きさが所定サイズ以上である時点より、遅延時間ぶん先立つ時点を含む区間でもある。
【００８７】
リアルタイムに放送される映像の場合、一般的に、ある区間に対する視聴者の反応は、当該区間の放送時点より遅いので、制御部１１２は、クローリングデータの大きさが所定サイズ以上である時点より、遅延時間ぶん先立つ時点を含む区間を人気区間と決定することができる。言い換えれば、該遅延時間は、当該区間に対する視聴者の反応が発生するまでに必要となる時間を意味する。
【００８８】
図９は、本実施形態による制御部１１２が、人気区間を決定する方法について説明するための図面である。
【００８９】
図９を参照し、７個の区間７１１ないし７１７を含む映像７００のリアルタイム放送によるクローリングデータの大きさ７３０が、図９に図示されていると仮定する。また、区間７１４が放送された時間帯に、クローリングデータの大きさが所定サイズ以上であると仮定する。
【００９０】
そのような場合、制御部１１２は、クローリングデータの大きさが所定サイズ以上である時点より、遅延時間７２０ぶん先立つ時点を含む区間７１３を人気区間と決定することができる。さらに詳細には、クローリングデータの大きさが所定サイズ以上である時点より、遅延時間７２０ぶん先立つ時点が、いずれも区間７１３に属するので、制御部１１２は、区間７１３を人気区間と決定することができる。
【００９１】
それにより、本実施形態は、リアルタイムに放送される映像に係わる視聴者の呼応度をさらに正確に把握することができる。
【００９２】
一方、通信部１１１は、複数の外部装置から、リアルタイムで放送中である映像に係わるクローリングデータを受信し、制御部１１２は、複数の外部装置それぞれから受信したクローリングデータに基づいて、人気区間を決定することもできる。
【００９３】
言い換えれば、制御部１１２は、複数の外部装置それぞれで受信したクローリングデータをいずれも合わせ、クローリングデータの大きさを算出し、算出されたクローリングデータの大きさに基づいて、人気区間を決定することができる。このとき、制御部１１２が受信されたクローリングデータの大きさに基づいて、人気区間を決定することは、前述のところと同一であるので、詳細な説明は、省略する。
【００９４】
図１０ないし図１２は、映像人気区間の検索装置１１０の情報処理方法のフローチャートである。映像人気区間の検索装置１１０に含まれる通信部１１１及び制御部１１２に係わる詳細な説明はすでに行ったので、重複説明は、省略する。
【００９５】
本実施形態による映像人気区間の検索装置１１０は、１以上の時点において、映像のクローリングデータを含む映像の呼応度に係わる情報受信することができる（Ｓ８１）。
【００９６】
本発明において、「映像の各区間別呼応度に係わる情報」は、映像の鑑賞者が、映像の当該区間に、どれだけ多くの関心を有するかということに係わる情報を含んでもよい。例えば、本実施形態において、映像の各区間別呼応度に係わる情報は、外部装置２００が映像に対してクローリングしたデータであるクローリングデータを含んでもよい。
【００９７】
さらに詳細には、映像人気区間の検索装置１１０は、図１１Ａに図示されているように、外部装置にアップロードされ１以上のコンテンツを受信し（Ｓ８１１ａ）、受信されたコンテンツから、映像関連データを抽出する（Ｓ８１２ａ）。言い換えれば、映像人気区間の検索装置１１０は、外部装置に新たにアップロードされた全てのコンテンツを受信し、受信されたコンテンツから、映像関連コンテンツのみを抽出することができる。
【００９８】
選択的実施形態において、映像人気区間の検索装置１１０は、図１１Ｂに図示されているように、外部装置に、映像関連データを要請し（Ｓ８１１ｂ）、外部装置から、映像に係わるクローリングデータのみを受信することもできる（Ｓ８１２ｂ）。言い換えれば、映像人気区間の検索装置１１０は、外部装置から、映像に係わるクローリングデータのみを受信することもできる。このとき、映像人気区間の検索装置１１０は、映像関連データの要請と共に、映像名、映像の別称、及び映像に登場する俳優名などを外部装置に送信し、映像に係わるデータを外部装置から受信することができる。
【００９９】
次に、本実施形態による映像人気区間の検索装置１１０は、映像の各区間別呼応度に基づいて、映像の人気区間を決定することができる（Ｓ８２）。
【０１００】
さらに詳細には、映像人気区間の検索装置１１０は、図１２に図示されているように、クローリングデータの大きさが所定サイズ以上であるか否かということを確認し（Ｓ８２１）、クローリングデータの大きさが所定サイズ以上である場合、クローリングデータの大きさが所定サイズ以上である時点と対応する区間を、人気区間と決定することができる（Ｓ８２２）。
【０１０１】
このとき、映像人気区間の検索装置１１０は、クローリングデータの大きさが所定サイズ以上である時点より、遅延時間ぶん先立つ時点を含む区間を、前記人気区間と決定することができる。
【０１０２】
以上で説明された本発明による実施形態は、コンピュータ上で多様な構成要素を介して、実行されるコンピュータプログラムの形態に具現され、そのようなコンピュータプログラムは、コンピュータで読み取り可能な媒体に記録される。このとき、該媒体は、ハードディスク、フロッピィーディスク及び磁気テープのような磁気媒体；ＣＤ−ＲＯＭ（compact  disc  read  only  memory）及びＤＶＤ（digital  versatile  disc）のような光記録媒体；フロプティカルディスク（floptical  disk）のような磁気・光媒体（magneto-optical  medium）；及びＲＯＭ（read-only  memory）、ＲＡＭ（random  access  memory）、フラッシュメモリのような、プログラム命令語を保存して実行するように特別に構成されたハードウェア装置を含んでもよい。さらに、該媒体は、ネットワーク上で伝送可能な形態に具現される無形の媒体を含んでもよく、例えば、ソフトウェア形態またはアプリケーション形態に具現され、ネットワークを介して、伝送及び流通が可能な形態の媒体でもある。
【０１０３】
一方、前記コンピュータプログラムは、本発明のために特別に設計されて構成されたものであってもよく、コンピュータソフトウェア分野の当業者に公知されて使用可能なものであってもよい。該コンピュータプログラムの例には、コンパイラによって作われるような機械語コードだけではなく、インタープリタなどを使用し、コンピュータによって実行される高級言語コードが含まれてもよい。
【０１０４】
本発明で説明する特定実行は、一実施形態であり、いかなる方法によっても、本発明の範囲を限定するものではない。明細書の簡潔さのために、従来の電子的な構成、制御システム、ソフトウェア、前記システムの他の機能的な側面の記載は、省略される。また、図面に図示された構成要素間の線の連結または連結部材は、機能的な連結及び／または物理的または回路的な連結を例示的に示したものであり、実際の装置においては、代替可能であったり追加されたりする多様な機能的な連結、物理的な連結または回路の連結としても示される。また、「必須な」、「重要に」というように、具体的な言及がなければ、本発明適用のために、必ずしも必要な構成要素ではないこともある。
【０１０５】
従って、本発明の思想は、前述の実施形態に限って決められるものではなく、特許請求の範囲だけではなく、該特許請求の範囲と均等な、またはそれらから等価的に変更された全ての範囲は、本発明の思想の範疇に属するものとするのである。
【０１０６】
本発明の実施形態は、更に以下の課題を解決する。
【０１０７】
本発明の実施形態は、既保存映像だけではなく、リアルタイム映像に係わる各区間別呼応度に係わる情報を受信し、それを基に、映像の人気区間を決定する装置を提供するものである。
【０１０８】
また、本発明の実施形態は、複数のユーザに係わる呼応度に係わる情報を受信し、それを基に、映像の人気区間を決定することにより、客観的に映像の人気区間を決定する装置を提供するものである。
【０１０９】
さらに、本発明の実施形態は、複数のユーザを、各ユーザが好む区間によってグループ分けし、同一グループに属する他のユーザの好み区間により、推奨区間を決定する装置を提供するものである。
【０１１０】
本発明の実施形態は、更に以下を提供する。
【０１１１】
本発明の第１実施形態による人気区間検索装置において、前記呼応度に係わる情報は、前記映像の各区間が、前記外部装置で再生された時間である区間別再生時間、前記各区間の長さに係わる情報、前記各区間の再生速度、及び前記各区間の再生部分に係わる情報のうち少なくとも一つを含んでもよい。
【０１１２】
前記制御部は、前記少なくとも１以上の区間のうちいずれか一つの区間である判断対象区間の全部または一部が再生された場合、前記判断対象区間の再生回数を増加させることができる。
【０１１３】
前記制御部は、前記少なくとも１以上の区間のうち、前記再生回数が所定回数以上である１以上の区間を、前記人気区間と決定することができる。
【０１１４】
複数の外部装置から、第１映像の各区間別呼応度に係わる情報を受信した場合、前記制御部は、前記複数の外部装置から受信された前記第１映像の区間別再生時間に基づいて、前記第１映像の区間別再生回数を累積して算出し、前記累積された再生回数が所定回数以上である１以上の区間を、前記第１映像の人気区間と決定することができる。
【０１１５】
本発明の第２実施形態による人気区間検索装置の前記通信部は、前記外部装置から、前記映像と係わるデータを含むクローリングデータを、既設定の時間間隔で受信することができる。このとき、前記制御部は、前記クローリングデータが受信された時点、及び前記クローリングデータの大きさを考慮し、前記人気区間を決定することができる。
【０１１６】
前記制御部は、前記クローリングデータの大きさが所定サイズ以上である時点より、遅延時間ぶん先立つ時点を含む区間を、前記人気区間と決定することができる。
【０１１７】
前記通信部を介して、前記外部装置から受信された１以上のコンテンツを含むクローリングデータを受信した場合、前記制御部は、前記受信されたコンテンツから、前記映像に係わるデータである映像関連データを抽出し、前記映像関連データが所定サイズ以上である時点と対応する少なくとも１以上の区間を、前記人気区間と決定することができる。
【０１１８】
前記通信部を介して、前記外部装置から受信された１以上のコンテンツのうち、前記映像と係わるコンテンツのみを含むクローリングデータを受信した場合、前記制御部は、前記クローリングデータから、映像関連データを抽出せず、前記映像関連データが所定サイズ以上である時点と対応する少なくとも１以上の区間を、前記人気区間と決定することができる。
【０１１９】
前記外部装置は、複数である場合、前記呼応度に係わる情報は、前記複数の外部装置それぞれの前記映像に係わる１以上のクローリングデータを含み、前記制御部は、前記複数の外部装置それぞれから受信した前記クローリングデータに基づいて、人気区間を決定することができる。
【０１２０】
１以上のユーザそれぞれに係わる第１映像の各区間別呼応度に係わる情報を受信した場合、前記制御部は、前記第１映像の各区間別呼応度に係わる情報を分析し、前記分析した結果を利用し、前記第１映像の少なくとも１以上の区間をユーザ別人気区間と決定し、前記人気区間が所定数以上重畳するユーザを同一グループ（group）に分類することができる。
【０１２１】
このとき、前記制御部は、同一グループに属する他のユーザの第２映像の人気区間を参照し、前記第２映像に係わる推奨区間に係わる情報を生成することができる。
【０１２２】
前記映像の各区間の呼応度に係わる情報は、前記映像が、既設定区間数ぶん再生または視聴されるたびに受信されうる。
【０１２３】
前記制御部は、前記決定された少なくとも１以上の人気区間をユーザ端末に提供することができる。
【図１】
2019528524.tif 000003
【図２】
2019528524.tif 000004
【図３】
2019528524.tif 000005
【図４】
2019528524.tif 000006
【図５】
2019528524.tif 000007
【図６】
2019528524.tif 000008
【図７】
2019528524.tif 000009
【図８】
2019528524.tif 000010
【図９】
2019528524.tif 000011
【図１０】
2019528524.tif 000012
【図１１Ａ】
2019528524.tif 000013
【図１１Ｂ】
2019528524.tif 000014
【図１２】
2019528524.tif 000015
【国際調査報告】
2019528524.tif 000016
2019528524.tif 000017
2019528524.tif 000018
2019528524.tif 000019